(57)【要約】【課題】導体引出棒の端末と電力ケーブル導体との接続部における電界を遮蔽して漏洩電流を遮断することにより支持架台に設置する際に支持碍子を不要とした気中終端接続箱を提供する。【解決手段】両端部２ｂ，２ｃが夫々電力ケーブルに接続される導体引出棒２と、絶縁部材で形成され導体引出棒の周囲を覆いかつその両端部を延出させた端末本体３と、端末本体の一側端部に設けられて当該端末本体を支持架台５２に取り付けるための取付金具４とを備えた気中終端接続箱１であって、導体引出棒の一側端部２ｃと電力ケーブル３０との接続部３４及びその両側近傍の周囲を覆って絶縁するＩＪ型ゴムユニット１１と、ＩＪ型ゴムユニットを囲繞し一側端部２３ａが取付金具に固定され他側端部２４ｂが電力ケーブルに固定されかつ取付金具側と電力ケーブル側とを電気的に縁切りする保護管２１とを備えた構成としたものである。【選択図】図３
2007174810.tif 000002
【特許請求の範囲】
【請求項１】
両端部が夫々電力ケーブルに接続される導体引出棒と、絶縁部材で形成され前記導体引出棒の周囲を覆いかつその両端部を延出させた端末本体と、前記端末本体の一側端部に設けられて当該端末本体を支持架台に取り付けるための取付金具とを備えた気中終端接続箱であって、
前記導体引出棒の一側端部と電力ケーブルとの接続部及びその両側近傍の周囲を覆って絶縁するＩＪ型ゴムユニットと、
前記ＩＪ型ゴムユニットを囲繞し一側端部が前記取付金具に固定され他側端部が前記電力ケーブルに固定されかつ取付金具側と電力ケーブル側とを電気的に縁切りする保護管とを備えたことを特徴とする気中終端接続箱。
【請求項２】
前記保護管は絶縁部材で形成された絶縁筒の両側に金属部材で形成された金属筒が接続されて両側の金属筒が電気的に縁切りされていることを特徴とする、請求項１に記載の気中終端接続箱。
【発明の詳細な説明】
【技術分野】
【０００１】
本発明は、電力ケーブル同士を接続する気中終端接続箱に関する。
【背景技術】
【０００２】
電力ケーブル同士を接続する気中終端接続箱として例えば、下端部に導体挿入口を有する導体引出棒と、導体引出棒の外周に設けられる絶縁筒と、絶縁筒の外周に設けられるポリマー被覆体とを有し、絶縁筒は導体引出棒の下方部位の外周部に設けられる大径の絶縁筒と導体引出棒の先端部を除く部分の外周部に設けられる小径の絶縁筒とを備えたポリマー套管がある。このポリマー套管は、大径の絶縁筒と小径の絶縁筒の連設部分に電界緩和用の埋込金具が埋設され、大径の絶縁筒の下端部に導体引出棒の端部に形成された導体挿入孔と連通されて電力ケーブル端末部のストレスコーンを受容するコーン状の受容口が設けられた構成を有している（例えば、特許文献１参照）。
【０００３】
そして、上記ポリマー套管は、導体引出棒の導体挿入孔と電力ケーブルの導体端末との接続部が大径絶縁筒の外周部に配置され上端部が埋込金具の下面に取り付けられる円筒状の保護金具により覆われ、埋込金具が支持碍子を介して支持架台に取り付けられるようになっている。
【特許文献１】特開２００３−３０４６３２号公報（３〜４頁、図１、図２）
【発明の開示】
【発明が解決しようとする課題】
【０００４】
しかしながら、上記構成においては気中終端接続箱が設置される場所によっては、気中終端接続箱の充電部（導体引出棒の導体固定端子が取付けられる側）と支持架台との間の距離が制限される場合がある。
【０００５】
本発明は上述の点に鑑みてなされたもので、支持架台に設置する際に支持碍子を不要とし、その分充電部と支持架台との間の距離を短くした気中終端接続箱を供することを目的とする。
【課題を解決するための手段】
【０００６】
上記目的を達成するために本発明に係わる気中終端接続箱は、両端部が夫々電力ケーブルに接続される導体引出棒と、絶縁部材で形成され前記導体引出棒の周囲を覆いかつその両端部を延出させた端末本体と、前記端末本体の一側端部に設けられて当該端末本体を支持架台に取り付けるための取付金具とを備えた気中終端接続箱であって、前記導体引出棒の一側端部と電力ケーブルとの接続部及びその両側近傍の周囲を覆って絶縁するＩＪ型ゴムユニットと、前記ＩＪ型ゴムユニットを囲繞し一側端部が前記取付金具に固定され他側端部が前記電力ケーブルに固定されかつ取付金具側と電力ケーブル側とを電気的に縁切りする保護管とを備えたことを特徴としている。
【０００７】
気中終端接続箱の端末本体の端部から延出されてエポキシ樹脂部材で覆われた導体引出棒の端部に一方の電力ケーブルの導体を接続する。この導体引出棒の端部は、電力ケーブルの導体に直接接続される。また、端末本体の他側の端部から延出された導体引出棒の他端部に他方の電力ケーブルを接続する。導体引出棒の他側の端部は、他方の電力ケーブルの導体に接続された導体固定端子に接続される。
【０００８】
導体引出棒と電力ケーブルとの接続部及びその両側近傍の周囲をＩＪ型ゴムユニットで覆って絶縁すると共に、一側端部が取付金具に固定され他側端部が電力ケーブルに固定されかつ取付金具側と電力ケーブル側とを電気的に縁切りする保護管によりＩＪ型ゴムユニットを囲繞して電力ケーブル側から取付金具側に流れる漏洩電流を遮断する。そして、取付金具を支持架台に設置する。
【０００９】
また、本発明の請求項２に記載の気中終端接続箱は、請求項１に記載の気中終端接続箱において、前記保護管は絶縁部材で形成された絶縁筒の両側に金属部材で形成された金属筒が接続されて両側の金属筒が電気的に縁切りされていることを特徴としている。
【００１０】
保護管を両側の金属等とこれらの金属等の中間部に絶縁筒を介在させて両側の金属等を電気的に縁切りして、電力ケーブル側から取付金具側に流れる漏洩電流を遮断する。
【発明の効果】
【００１１】
本発明によると、気中終端接続箱を支持架台に設置する際に支持碍子を不要とすることができるために気中終端接続箱の充電部と（導体引出棒の導体固定端子が取付けられる側）支持架台との間の距離を短くすることができる。
【発明を実施するための最良の形態】
【００１２】
以下、本発明の最良の実施形態を図面に基づいて詳細に説明する。
【００１３】
図１は、本発明に係わる気中終端接続箱の一側に電力ケーブルを接続した状態の側面図を示し、気中終端接続箱１は、導体引出棒２と、導体引出棒２を被覆する端末本体３と、端末本体３の下端部３ｄに設けられた取付金具４からなる。気中終端接続箱１は、導体引出棒２の下端部に例えば電力を供給する側の電力ケーブル３０が接続され、その接続部が後述するＩＪ型ゴムユニットで覆われて絶縁され、更に保護管２１で覆われて保護されている。そして、気中終端接続箱１は、取付金具４が支持架台５２に載置されて、ボルト５７、ナット５８により固定されている。
【００１４】
図２は、図１に示す気中終端接続箱１の断面図を示す。導体引出棒２は、導電性を有する中実の金属棒で、周囲が端末本体３で覆われ、上端部２ｂ、下端部２ｃが端末本体３の上端部３ｃ、下端部３ｄから延出されている。下端部２ｃの端末部２ｄは、その端面中央に電力ケーブル３０の導体端末を挿入接続するための導体挿入孔２ｅが形成されている。この導体引出棒２は、銅、アルミニウム、或いは銅合金、アルミ合金等により形成されている。
【００１５】
端末本体３は、例えばシリコーンゴム部材からなる套管で、例えば金型を用いて導体引出棒2の周囲に成形して設けられ、小径の円筒状をなす上部３ａと大径の円筒状をなす下部３ｂとが一体に形成される。上部３ａは、導体引出棒２の上端部２ｂを除く略上半分の周囲を覆っており、下部３ｂは、導体引出棒２の下端部２ｃを除く略下半分を覆っている（以下「小径円筒部３ａ」、「大径円筒部３ｂ」という）。この大径円筒部３ｂは、導体引出棒２の中央部２ａの略下半分の周囲を覆うエポキシ座５の周囲を覆っている。
【００１６】
エポキシ座５は、エポキシ樹脂部材からなり略矢尻形状をなしている。上部５ａは、上端が導体引出棒２の中央に向かって尖った円錐体をなし、下端が段差をなして円筒状に縮径して中央部５ｂに連設し、中央部５ｂは、上端から下端に向って拡径した略円錐体をなし、下部５ｃは、中央部５ｂの下端から段差をなして円筒状に縮径して下端部２ｃの周囲を端末部２ｄ近傍まで覆っている。このエポキシ座５は、導体引出棒２の周囲に密着して形成されている。尚、エポキシ座５上には、略矢尻形状部側より下部５ｃの中間部（取付金具４と導体引出棒２の端末部２ｄとの間）まで半導電層が連続して一体的に形成されている。
【００１７】
端末本体３の大径円筒部３ｂは、導体引出棒２の略下半分からエポキシ座５の中央部５ｂの後端まで同心的に覆っている。この大径円筒部３ｂは、エポキシ座５の上部５ａから中央部５ｂの下端までの長さよりも長く形成されており、小径円筒部３ａと階段状をなす連設部３ｅで連設されている。そして、小径円筒部３ａ、大径円筒部３ｂの外周面には傘状をなす襞部３ｆ，襞部３ｇが軸方向（長手方向）に沿って所定の間隔で多数形成されている。
【００１８】
そして、端末本体３の大径円筒部３ｂに導体引出棒２の略下半分の一部（略半分）の周囲を覆うように内在されているエポキシ座５の上部５ａ及び中央部５ｂにより電界緩和機構６が形成されている。この電界緩和機構６は、端末本体３の電界を緩和して電界の集中を防止し、外面の絶縁性能を高める機能を有している。
【００１９】
取付金具４は、端末本体３の大径円筒部３ｂの襞部３ｇよりも大径の円板とされ、中央に形成された孔４ａにエポキシ座５の下部５ｃが挿通され、孔４ａの周縁部に形成されたフランジ４ｂとこのフランジ４ｂの外側に同心的に形成されたフランジ４ｃがエポキシ座５の中央部５ｂの下端面と端末本体３の下端部３ｄの端面に埋設されて固定されている。取付金具４の周縁部近傍には支持金具取付用のねじ孔４ｄが周方向に沿って複数形成されている。
【００２０】
電力ケーブル３０は、図３に示すように被覆としてのケーブル防食層３１及び絶縁部材３２の端末が剥ぎ取られて導体（心線）３３が裸出されている。また、ケーブル遮蔽層としてケーブル防食層３１の端部からワイヤーシールド３６も露出されている。尚、このときワイヤーシールド３６は、ケーブル外部半導電層３７に密着した状態で露出される。そして、導体３３の端末が導体引出棒２の導体挿入孔２ｅに挿入された端末部２ｄがカシメ加工されて強固に固定されている。このようにして導体引出棒２の端末部２ｄと電力ケーブル３０の導体３３が電気的及び機械的に接続固定されている。なお、前記カシメ加工部には導電性テープ３５が巻回されてエポキシ座５の下部５ｃ及び電力ケーブル３０の絶縁部材３２と略同じ外径とされている。
【００２１】
そして、電力ケーブル３０側に予め移動可能に挿入されていたＩＪ型ゴムユニット１１を移動させて、導体引出棒２の端末部２ｄと電力ケーブル３０の導体３３との接続部３４にＩＪ型ゴムユニット１１が装着される。尚、ワイヤーシールド３６は、ケーブル外部半導電層３７に密着した状態で露出されているので、ＩＪ型ゴムユニット１１の移動の妨げにはならない。
【００２２】
ＩＪ（Insulation Joint）型のゴムユニット１１は、図３に示すように円筒形状をなし、内部半導電層１２、この内部半導電層１２とストレスコーン部１３，１４の周囲に密着しかつこれらを一体に覆う補強絶縁層１５より形成されている。更に補強絶縁層１５上には一側から他側の端部を除いて半導電層１６が、他側の端部に半導電層１７が、互いに離間するようにそれぞれ一体的に形成されている。また、前記半導電層１６と半導電層１７及び離間部を覆うように、補強絶縁層１５周囲全体には絶縁層１８が連続して一体的に形成される。
【００２３】
内部半導電層１２や、ストレスコーン部１３，１４は、例えばシリコーンゴム部材にカーボン等が混入された半導電性のゴム部材により形成されており、補強絶縁層１５は、例えばゴム部材により形成されている。内部半導電層１２、ストレスコーン１３，１４は、補強絶縁層１５と共にモールド形成により一体となっている。また、半導電層１６，１７は、例えば半導電性のテープを巻回して形成され、絶縁層１８は、例えば絶縁テープを巻回して形成される。
【００２４】
このＩＪ型ゴムユニット１１は、内部半導電層１２が接続部３４の周囲及びその両側近傍の周囲に密着して覆い、ストレスコーン部１３が半導電層とエポキシ樹脂層との境界部に配置されてエポキシ座５の下部５ｃの周囲に密着して半導電層とエポキシ樹脂層のそれぞれの一部を覆い、ストレスコーン部１４がケーブルの絶縁部材３２と外部半導電層３７の境界部に配置されて電力ケーブル３０の端末部の周囲に密着してケーブルの絶縁部材３２と外部半導電層３７のそれぞれの一部を覆っている。半導電層１６はストレスコーン１３の端部を覆い、半導電層１７はストレスコーン１４の端部を覆っている。絶縁層１８は、半導電層１６，１７を電気的に縁切りして、電力ケーブル３０側からの遮蔽層に流れる電流とゴム本体側から遮蔽層に流れる電流を遮断している。
【００２５】
保護管２１は、絶縁筒２２と、絶縁筒２２の両側に接続された金属筒２３，２４とにより形成されている。絶縁筒２２は、絶縁部材例えばエポキシ樹脂部材からなり、その内径がＩＪ型ゴムユニット１１よりも僅かに大径とされた厚肉の円筒形状に形成されている。絶縁筒２２と金属筒２３，２４は予め電力ケーブル３０側に挿入されている。
【００２６】
金属筒２３，２４は、金属部材からなり、一側の金属筒２３は、内径が絶縁筒２２の内径と同径とされ、両側の開口端にフランジ２３ａ，２３ｂが形成されている。フランジ２３ａには取付金具４のねじ孔４ｄと対応して図示しないボルト挿通孔が形成され、フランジ２３ｂにはボルト挿通孔２３ｄが形成されている。
【００２７】
他側の金属筒２４は、一側の内径が絶縁筒２２の内径と同径とされその開口端にフランジ２４ａが形成され、中央部がテーパ状に縮径されて電力ケーブル３０の外径よりも僅かに大径の円筒部２４ｂとされている。フランジ２４ａにはボルト挿通孔２４ｄが形成されている。
【００２８】
絶縁筒２２は、金属筒２３と２４のフランジ２３ｂと２４ａとの間に介在されてボルト２５，２５により固定される。これにより、金属筒２３と金属筒２４とが電気的に絶縁されて縁切りされている。このようにして保護管２１が形成されている。
【００２９】
この保護管２１は、接続部３４の周囲とその両側近傍のエポキシ座５の下部５ｃと電力ケーブル３０の絶縁部材３２の周囲に密着して覆うように装着されたＩＪ型ゴムユニット１１を囲繞するように外装され、まず、一側の金属筒２３のフランジ２３ａが、取付金具４にボルト５５にて固定される。次に絶縁筒２２が、前記金属筒２３のフランジ２３ｄにボルト２５にて固定される。そして、他側の金属筒２４もＩＪ型ゴムユニット１１を囲撓するように外装され、フランジ２４ａが、前記絶縁筒２２にボルト２５にて固定される。このようにして保護管２１は、取付金具４と共に支持架台５２に取付けられる。
【００３０】
ＩＪ型ゴムユニット１１を接続部３４に移動させた後にケーブル防食層３１側に折り曲げられたケーブル遮蔽層としての前記ワイヤーシールド３６を前記金属筒２４に接触するようにして、金属筒２４の端部とケーブル防食層３１を覆うようにテープ３８を巻回して両者を密封して防食する。
【００３１】
保護管２１は、絶縁筒２２により両側の金属筒２３と金属筒２４とが電気的に縁切りされていることで電力ケーブル３０側から取付金具４に流れる漏洩電流を遮断する。これにより、取付金具４を絶縁用の支持碍子を使用することなく支持架台５２に設置することができる。
【００３２】
一方、図示しない例えば、電力を受ける側の電力ケーブルは、その導体（心線）に導体固定端子が接続されており、この導体固定端子が導体引出棒２の上端部２ｃに接続される。このようにして、気中終端接続箱１により電力ケーブル同士が接続される。
【００３３】
気中終端接続箱１は、支持架台５２に設置する際に碍子を無くすことができるので気中終端接続箱１の強度を向上させることができる。また、導体引出棒２の端末部２ｄとケーブル導体３３との接続部３４にＩＪ型ゴムユニット１１を移動させてから装着させることで目視により装着状態を確認することができる。
【００３４】
更に気中終端接続箱１は、端末本体３がシリコーンゴム部材からなる絶縁部材により形成されていることで磁器製のものと比べて大幅に軽量化が図られると共に、上部３ａが小径の円筒形状とされ、下部３ｂが電界緩和機構６を内在して上部３ａよりも大径な円筒形状とされていることで重心を下部に位置させることができる。しかも、磁器製の支持碍子を使用することなく支持架台５２に設置することができるために取り付け作業が容易となり作業性の向上が図られると共に風雪や振動特に地震等の揺れに対しても有利である。また、絶縁油を使用していないために取付角度の制約もなく施工性が向上する。
【図面の簡単な説明】
【００３５】
【図１】本発明に係わる気中終端接続箱の一側に電力ケーブルを接続した状態の側面図である。
【図２】図１に示した気中終端接続箱の断面図である。
【図３】図１に示した気中終端接続箱と電力ケーブルの接続部の断面図である。
【符号の説明】
【００３６】
１    気中終端接続箱
２    導体引出棒
２ａ    中央部
２ｂ    上端部
２ｃ    下端部
２ｄ    端末部
２ｅ    導体挿入孔
３    端末本体
３ａ    上部（小径円筒部）
３ｂ    下部（大径円筒部）
３ｃ    上端部
３ｄ    下端部
３ｅ    連設部
３ｆ，３ｇ    襞部
４    取付金具
４ａ    孔
４ｂ，４ｃ    フランジ
４ｄ    ねじ孔
５    エポキシ座
５ａ    上部
５ｂ    中央部
５ｃ    下部
６    電界緩和機構
１１    ＩＪ型ゴムユニット
１２    内部半導電層
１３，１４    ストレスコーン部
１５    補強絶縁層
１６    半導電層
１７    半導電層
１８，１９    絶縁層
２１    保護管（保護部材）
２２    絶縁筒
２３，２４    金属筒
２３ａ、２３ｂ，２４ａ    フランジ
２３ｄ，２４ｄ    ボルト挿通孔
２４ｂ    円筒部
３０    電力ケーブル
３１    ケーブル防食層
３２    絶縁部材
３３    導体（心線）
３４    接続部
３５    導電性テープ
３６    ワイヤーシールド（ケーブル遮蔽層）
３７    ケーブル外部半導電層
３８    テープ
５２    支持架台
５３    支持金具
５５，５７    ボルト
５８    ナット
【図１】
2007174810.tif 000003
【図２】
2007174810.tif 000004
【図３】
2007174810.tif 000005